(57)【特許請求の範囲】
【請求項１】
通信回線を介してダウンロードしたデータを記憶する記憶手段と、
その記憶手段に記憶可能なデータ量の空き容量を判定する空き容量判定手段と、
通信回線を介して複数のデータをダウンロードする前に、複数のデータのそれぞれについて、当該データのデータ量を示す機能情報が付加されたファイルを、当該通信回線を介して取得するファイル取得手段と、そのファイルに付加された機能情報は複数段階に設定されていることと、
前記ファイル取得手段が取得した複数のデータ毎のファイルに付加された機能情報が示すデータ量と、前記空き容量判定手段が判定した空き容量とを比較する比較手段と、
その比較手段の比較結果にて、前記複数段階の機能情報が示すデータ量のうち最も大きなデータ量が前記空き容量以下の場合には、前記ファイル取得手段が取得した全てのファイルの内容を報知する第１報知手段と、
前記比較手段の比較結果にて、前記複数段階の機能情報が示すデータ量のうち最も小さなデータ量が前記空き容量を超える場合には、前記空き容量が少ないため前記複数のデータのいずれも前記記憶手段にダウンロードすることが不能である旨を報知する第２報知手段と、
前記比較手段の比較結果にて、前記複数段階の機能情報が示すデータ量のうち前記空き容量以下のデータ量のファイルについては前記ファイル取得手段が取得したファイルの内容を報知し、前記複数段階の機能情報が示すデータ量のうち前記空き容量を超えるデータ量のファイルについては前記空き容量が少ないため当該データを前記記憶手段にダウンロードすることが不能である旨を報知する第３報知手段と
を備えたことを特徴とする通信装置。
【請求項２】
請求項１に記載の通信装置において、
前記第１報知手段は、
前記ファイル取得手段が取得した複数のデータ毎のファイルの中にデータ量を示す機能情報が付加されたファイルがない場合にも、前記ファイル取得手段が取得した全てのファイルの内容を報知することを特徴とする通信装置。
【請求項３】
請求項１または請求項２に記載の通信装置において、
前記通信回線を介してダウンロードしたデータは、着信音として機能するメロディのデータであることを特徴とする通信装置。
【請求項４】
通信回線を介してダウンロードしたデータを記憶する記憶手段と、
その記憶手段に記憶可能なデータ量の空き容量を判定する空き容量判定手段と、
通信回線を介して複数のデータをダウンロードする前に、複数のデータのそれぞれについて、当該データのデータ量を示すファイルを、当該通信回線を介して取得するファイル取得手段と、
そのファイル取得手段が取得した複数のデータ毎のファイルが示す最も大きなデータ量と、前記空き容量判定手段が判定した空き容量とを比較する比較手段と、
その比較手段の比較結果にて、前記最も大きなデータ量が前記空き容量以下の場合には、前記ファイル取得手段が取得した全てのファイルの内容を報知する第１報知手段と、
前記比較手段の比較結果にて、前記最も大きなデータ量が前記空き容量を超える場合には、前記空き容量が少ないため前記複数のデータのいずれも前記記憶手段にダウンロードすることが不能である旨を報知する第２報知手段と
を備えたことを特徴とする通信装置。
【請求項５】
請求項４に記載の通信装置において、
前記通信回線を介してダウンロードしたデータは、画像データまたはアプリケーションソフトのデータであることを特徴とする通信装置。
【請求項６】
請求項１〜５のいずれか１項に記載の通信装置における前記各手段としてコンピュータシステムを機能させるためのプログラム。
【請求項７】
請求項１〜５のいずれか１項に記載の通信装置における前記各手段としてコンピュータシステムを機能させるためのプログラムが記録されたコンピュータで読み取り可能な記録媒体。
【発明の詳細な説明】
【０００１】
【発明の属する技術分野】
本発明は通信装置、プログラム、記録媒体に係り、詳しくは、電話機やファクシミリなどの通信装置と、その通信装置を実現するようにコンピュータシステムを機能させるためのプログラム、そのプログラムが記録されたコンピュータで読み取り可能な記録媒体に関するものである。
【０００２】
【従来の技術】
近年、ユーザーの好みのメロディを着信音として携帯電話機に取り込むことで、着信時の識別性を高めるようにした「着信メロディサービス」が提供されている。この「着信メロディサービス」を受けるには以下の手順をふむ必要がある。
まず、ユーザーは、自身の携帯電話機が採用しているシステムを提供している会社へ携帯電話機でアクセスし、通話状態で当該会社のメロディセンターにストックされているメロディの視聴を行った後に、好みのメロディを選択し、その選択指示をメロディセンターに携帯電話機から送信する。すると、その選択されたメロディのデータが、メロディセンターからユーザーの携帯電話機へ送信され、その携帯電話機にダウンロードされて記憶され、以後、そのメロディが着信音として機能する。
【０００３】
最近では、着信音として機能するメロディを聞いたときの興趣を高めるため、当該メロディを構成する和音数を増大させる傾向がある。例えば、従来は４和音が一般的であったものが、最近では１６和音が一般的になっている。
そして、メロディのデータは携帯電話機に備えられた記憶装置（例えば、ＲＡＭやＥＥＰＲＯＭなど）に記憶されるため、メロディを構成する和音数が増大すると、記憶装置におけるメロディのデータ占有量も増大する。
【０００４】
【発明が解決しようとする課題】
しかしながら、携帯電話の記憶装置には電話番号などの各種情報も記憶されているため、新たなデータを記憶させることが可能なデータ量の空き容量は大きいとはいえない。空き容量を大きくするには記憶容量の大きな記憶装置を用いればよいが、記憶容量の大きな記憶装置は部品コストが高いため、携帯電話機に採用することは困難である。
そのため、メロディのデータがメロディセンターからユーザーの携帯電話機へ送信されてダウンロードされる際に、メロディのデータ量の方が携帯電話機の記憶装置の空き容量より大きい場合には、メロディのデータを当該記憶装置に記憶できないことになる。
【０００５】
従来、メロディのデータを携帯電話機の記憶装置に記憶できるかどうかは、ダウンロードが完了するまで分からず、メロディのデータを記憶装置に記憶できない場合でもダウンロード中の電話料金は課金されるため、無駄な通信コストをユーザーに強いるという問題があった。
ところで、近年、携帯電話機だけでなく、固定電話機やファクシミリなどの各種通信装置においても、メロディを着信音として機能させることが求められている。従って、携帯電話機に限らず、メロディを着信音として機能させる各種通信装置においても、上記問題が顕在化している。
【０００６】
また、近年、ＮＴＴドコモ社より「ｉアニメ」「ｉアプリ」と呼ばれる携帯電話の情報サービスが提供されている。
この「ｉアニメ」は、携帯電話の液晶表示器に表示される待ち受け画面などの画像データを、ＮＴＴドコモ社からユーザーの携帯電話機へ送信してダウンロードさせるものである。
また、「ｉアプリ」は、ｊａｖａ言語で作成された様々なアプリケーションソフトを、ＮＴＴドコモ社からユーザーの携帯電話機へ送信してダウンロードさせるものである。
【０００７】
この「ｉアニメ」および「ｉアプリ」においても、上記の「着信メロディサービス」と同様に、画像データやアプリケーションソフトを携帯電話機の記憶装置に記憶できるかどうかは、ダウンロードが完了するまで分からず、画像データやアプリケーションソフトを記憶装置に記憶できない場合でもダウンロード中の電話料金は課金されるため、無駄な通信コストをユーザーに強いるという問題があった。
【０００８】
更に、近年、携帯電話機だけでなく、各種通信装置（固定電話機やファクシミリなど）や、各種情報通信ネットワーク網（インターネット、各種ＬＡＮなど）に接続する通信機能を備えた情報機器（携帯情報端末、モデムを備えたパーソナルコンピュータなど）においても、通信回線から送信されてくる画像データやアプリケーションソフトなどの各種情報を、当該機器に備えられた記憶装置にダウンロードして記憶させることが求められている。従って、携帯電話機に限らず、これら機器においても、上記問題が顕在化している。
【０００９】
本発明は上記問題点を解決するためになされたものであって、以下の目的を有するものである。
(1)通信回線から送信されてくるデータをダウンロードする際の通信コストを低減することが可能な通信装置を提供する。
(2)上記(1)の通信装置を実現するようにコンピュータシステムを機能させるためのプログラムを提供する。
(3)上記(1)の通信装置を実現するようにコンピュータシステムを機能させるためのプログラムが記録されたコンピュータで読み取り可能な記録媒体を提供する。
【００１０】
【課題を解決するための手段および発明の効果】
（請求項１〜３：第１実施例に該当）
係る目的を達成するためになされた請求項１に記載の通信装置は、通信回線を介してダウンロードしたデータを記憶する記憶手段と、その記憶手段に記憶可能なデータ量の空き容量を判定する空き容量判定手段と、通信回線を介して複数のデータをダウンロードする前に、複数のデータのそれぞれについて、当該データのデータ量を示す機能情報が付加されたファイルを、当該通信回線を介して取得するファイル取得手段と、そのファイルに付加された機能情報は複数段階に設定されていることと、前記ファイル取得手段が取得した複数のデータ毎のファイルに付加された機能情報が示すデータ量と、前記空き容量判定手段が判定した空き容量とを比較する比較手段と、その比較手段の比較結果にて、前記複数段階の機能情報が示すデータ量のうち最も大きなデータ量が前記空き容量以下の場合には、前記ファイル取得手段が取得した全てのファイルの内容を報知する第１報知手段と、前記比較手段の比較結果にて、前記複数段階の機能情報が示すデータ量のうち最も小さなデータ量が前記空き容量を超える場合には、前記空き容量が少ないため前記複数のデータのいずれも前記記憶手段にダウンロードすることが不能である旨を報知する第２報知手段と、前記比較手段の比較結果にて、前記複数段階の機能情報が示すデータ量のうち前記空き容量以下のデータ量のファイルについては前記ファイル取得手段が取得したファイルの内容を報知し、前記複数段階の機能情報が示すデータ量のうち前記空き容量を超えるデータ量のファイルについては前記空き容量が少ないため当該データを前記記憶手段にダウンロードすることが不能である旨を報知する第３報知手段とを備えたものである。
【００１１】
請求項１に記載の通信装置によれば、第１報知手段はファイル取得手段が取得した全てのファイルの内容を報知するため、通信装置のユーザーは、記憶手段に記憶可能な複数のデータを第１報知手段の報知結果から一括して知ることができる。
また、第２報知手段は複数のデータのいずれも記憶手段にダウンロード不能であることを報知するため、通信装置のユーザーは、記憶手段に記憶可能なデータが無いことを第２報知手段の報知結果から一括して知ることができる。
また、第３報知手段は、複数のデータのうち記憶手段にダウンロード可能なデータについては、ファイル取得手段が取得した当該データのファイルの内容を報知するため、通信装置のユーザーは、記憶手段に記憶可能な複数のデータを第３報知手段の報知結果から一括して知ることができる。
さらに、第３報知手段は、複数のデータのうち記憶手段にダウンロード不能なデータについては、ファイル取得手段が取得した当該データのファイルの内容を報知せずに、ダウンロードが不能である旨を報知するため、通信装置のユーザーは、記憶手段に記憶不能な複数のデータを第３報知手段の報知結果から一括して知ることができる。
従って、通信装置のユーザーは、各報知手段の報知に基づいて、記憶手段に記憶させることが可能なデータを、記憶手段にダウンロードさせる以前に知ることができる。
そのため、通信装置のユーザーは、第１報知手段または第３報知手段によって報知された記憶手段に記憶可能な複数のデータの中から好みのデータを選択し、その選択したデータを、通信回線を介してダウンロードさせて記憶手段に記憶させることができる。
その結果、記憶手段に記憶させることができないデータをダウンロードすることが防止されるため、そのダウンロードに伴う通信回線の使用料金（回線接続料金）の無駄な課金が回避されることから、通信コストを低減することができる。
【００１２】
ところで、請求項２に記載の通信装置のように、請求項１に記載の通信装置において、前記第１報知手段は、前記ファイル取得手段が取得した複数のデータ毎のファイルの中にデータ量を示す機能情報が付加されたファイルがない場合にも、前記ファイル取得手段が取得した全てのファイルの内容を報知するようにしてもよい。
また、請求項３に記載の通信装置のように、請求項１または請求項２に記載の通信装置において、前記通信回線を介してダウンロードしたデータは、着信音として機能するメロディのデータとしてもよい。
【００１３】
（請求項４および請求項５：第２実施例または第３実施例に該当）
次に、請求項４に記載の通信装置は、通信回線を介してダウンロードしたデータを記憶する記憶手段と、その記憶手段に記憶可能なデータ量の空き容量を判定する空き容量判定手段と、通信回線を介して複数のデータをダウンロードする前に、複数のデータのそれぞれについて、当該データのデータ量を示すファイルを、当該通信回線を介して取得するファイル取得手段と、そのファイル取得手段が取得した複数のデータ毎のファイルが示す最も大きなデータ量と、前記空き容量判定手段が判定した空き容量とを比較する比較手段と、その比較手段の比較結果にて、前記最も大きなデータ量が前記空き容量以下の場合には、前記ファイル取得手段が取得した全てのファイルの内容を報知する第１報知手段と、前記比較手段の比較結果にて、前記最も大きなデータ量が前記空き容量を超える場合には、前記空き容量が少ないため前記複数のデータのいずれも前記記憶手段にダウンロードすることが不能である旨を報知する第２報知手段とを備えたものである。
【００１４】
請求項４に記載の通信装置によれば、第１報知手段はファイル取得手段が取得した全てのファイルの内容を報知するため、通信装置のユーザーは、記憶手段に記憶可能な複数のデータを第１報知手段の報知結果から一括して知ることができる。
また、第２報知手段は複数のデータのいずれも記憶手段にダウンロード不能であることを報知するため、通信装置のユーザーは、記憶手段に記憶可能なデータが無いことを第２報知手段の報知結果から一括して知ることができる。
従って、通信装置のユーザーは、各報知手段の報知に基づいて、記憶手段に記憶させることが可能なデータを、記憶手段にダウンロードさせる以前に知ることができる。
そのため、通信装置のユーザーは、第１報知手段によって報知された記憶手段に記憶可能な複数のデータの中から好みのデータを選択し、その選択したデータを、通信回線を介してダウンロードさせて記憶手段に記憶させることができる。
その結果、記憶手段に記憶させることができないデータをダウンロードすることが防止されるため、そのダウンロードに伴う通信回線の使用料金（回線接続料金）の無駄な課金が回避されることから、通信コストを低減することができる。
【００１５】
また、請求項５に記載の通信装置のように、請求項４に記載の通信装置において、前記通信回線を介してダウンロードしたデータは、画像データまたはアプリケーションソフトのデータとしてもよい。
【００１６】
次に、請求項６に記載のプログラムは、請求項１〜５のいずれか１項に記載の通信装置における前記各手段としてコンピュータシステムを機能させるためのプログラムを提供するものである。
つまり、請求項１〜５のいずれか１項に記載の通信装置における前記各手段を実現するための機能は、コンピュータシステムで実行されるプログラムとして備えることができる。
【００１７】
次に、請求項７に記載の記録媒体は、請求項１〜５のいずれか１項に記載の通信装置における前記各手段としてコンピュータシステムを機能させるためのプログラムが記録されたコンピュータで読み取り可能な記録媒体を提供するものである。
このようなプログラムの場合、例えば、ＲＯＭやバックアップＲＡＭをコンピュータで読み取り可能な記録媒体として前記プログラムを記録しておき、このＲＯＭあるいはバックアップＲＡＭをコンピュータシステムに組み込んで用いることができる。
この他、半導体メモリ（スマートメディア，メモリスティックなど），ハードディスク，フロッピーディスク，データカード（ＩＣカード，磁気カードなど），光ディスク（ＣＤ−ＲＯＭ，ＣＤ−Ｒ，ＣＤ−ＲＷ，ＤＶＤなど），光磁気ディスク（ＭＯなど），相変化ディスク，磁気テープなどのコンピュータで読み取り可能な記録媒体に前記プログラムを記録しておき、そのプログラムを必要に応じてコンピュータシステムにロードして起動することにより用いてもよい。ところで、前記記録媒体の具体例の名称には登録商標が含まれる。
【００１８】
【発明の実施の形態】
［実施形態の主要構成］
以下、本発明に係る一実施形態について図面を参照して説明する。
図１は、ＮＴＴ社が提供する「Ｌモード」と呼ばれる情報サービスにおける通信システム１０の概略構成を示すブロック図である。
Ｌモードにおける通信システム１０は、Ｌモード対応の各種通信機器１１、インターネット網１２、インターネット網１２に接続された各種通信機器１３、情報提供者の通信機器１４、公衆電話回線１５、Ｌモードゲートウェイ１６などから構成されている。
【００１９】
Ｌモード対応の各種通信機器１１には、例えば、Ｌモード対応の電話機やファクシミリ、ＩＣカード公衆電話機などがある。
ＷＷＷサーバ（図示略）を介してインターネット網１２に接続された各種通信機器１３には、例えば、パーソナルコンピュータや携帯電話機などがある。
通信機器１４を用いて各種情報（日々の生活に役立つ情報、地域に密着した情報）を提供する情報提供者（例えば、天気予報提供者（日本気象協会など）、銀行、証券会社、新聞社、販売店など）は、ＮＴＴ社が提供するＬメニューリストに登録されている。
尚、通信機器１４を用いて各種情報を提供する情報提供者や、各種通信機器１３の使用者が提供する情報やサービスの内容は「コンテンツ」と総称される。また、ＮＴＴ社が提供するＬメニューリストに登録されていない各種通信機器１３の使用者が提供する情報やサービスの内容は「一般コンテンツ」と呼ばれる。
【００２０】
各通信機器１１，１３，１４およびインターネット網１２は、公衆電話回線１５を介して、ＮＴＴ社が設置しているＬモードゲートウェイ１６に接続されている。
そして、Ｌモード対応の各種通信機器１１は、第１経路（公衆電話回線１５→Ｌモードゲートウェイ１６→公衆電話回線１５）または第２経路（公衆電話回線１５→Ｌモードゲートウェイ１６→公衆電話回線１５→インターネット網１２→公衆電話回線１５）を通じて情報提供者の通信機器１４と各種情報および電子メールを送受信することができる。
また、Ｌモード対応の各種通信機器１１は、インターネット網１２に接続された各種通信機器１３と前記第２経路を通じて各種情報および電子メールを送受信することができる。
尚、Ｌモードゲートウェイ１６は、実際には、ＮＴＴ西日本社とＮＴＴ東日本社にそれぞれ１つずつ設けられて互いに接続されている。
【００２１】
図２は、Ｌモード対応の各種通信機器１１の一例であるＬモード対応ファクシミリの本体２０の外観を示す平面図である。
Ｌモード対応ファクシミリの本体２０には、表示器２１および多数のボタン（キー）類２２が配設されており、ハンドセット（図示略）が接続されると共に、本体２０を親機とするコードレスホンの子機（図示略）が別体に設けられている。
表示器２１は、例えば、液晶ディスプレイやプラズマディスプレイなどから構成されている。表示器２１には、Ｌモードゲートウェイ１６と本体２０との回線が接続中であることを示すピクトグラム、回線接続が切断されたことを示すメッセージ文（例えば「切断されました」など）、予め設定された待ち受け画面などが表示される。
【００２２】
ボタン類２２を構成する各ボタンには、ダイヤルボタンを構成するテンキー、各種操作（例えば、留守番電話の設定・解除、スピーカ再生、保留または子機への切替など）を行うための各種機能ボタン、電子メールに関する操作を行う際に用いられるＥメールボタン２２ａ、Ｌモードに関する操作を行う際に用いられるＬボタン２２ｂ、表示器２１に表示されるカーソル（図示略）を上下左右に移動させるカーソル移動ボタン（スクロールボタン）２２ｃなどがある。
【００２３】
図３は、Ｌモード対応ファクシミリの本体２０の電気的構成を示すブロック回路図である。
Ｌモード対応ファクシミリの本体２０には、表示器２１、ボタン類２２、パネルＧＡ（Gate Array）４１、モータ４２、サーマルヘッド４３、スキャナ４４、センサ類４５、ＡＦＥ（Analog Front End）４６、メロディＩＣ（Integrated Circuit）４７、スピーカ４８、ＲＴＣ（Real Time Clock）４９、ＲＯＭ５０、ＲＡＭ５１、ＥＥＰＲＯＭ５２、子機用高周波（ＲＦ：Radio Frequency）ユニット５３、クロスポイントスイッチ５４、ハンドセット５５、ＮＣＵ５６、ＣＰＵ５７、記録回路５８、読取回路５９、ＦＡＸ・データモデム６０などが備えられている。
【００２４】
ＣＰＵ５７は、親機としての本体２０および子機（図示略）を含めたＬモード対応ファクシミリ全体の動作を制御する。ＣＰＵ５７には、記録回路５８、読取回路５９、パネルＧＡ４１、ＦＡＸ・データモデム６０、ＡＦＥ４６、ＲＴＣ４９、ＲＯＭ５０、ＲＡＭ５１、ＥＥＰＲＯＭ５２、子機用ＲＦユニット５３が接続されている。
尚、ＣＰＵ５７，記録回路５８，読取回路５９，ＦＡＸ・データモデム６０は１チップＩＣ６１によって構成され、その１チップＩＣ６１は１チップＦＡＸエンジンと呼ばれる。
【００２５】
記録回路５８は、ＣＰＵ５７の制御処理に従い、プリンタを構成するモータ４２およびサーマルヘッド４３の動作を制御する。モータ４２は、Ｌモード対応ファクシミリの本体２０に印刷用紙を供給排出するために移動させる。サーマルヘッド４３は、感熱紙からなる印刷用紙に印刷を行う。尚、サーマルヘッド４３をインクジェットヘッドやレーザーエンジンに置き代えてもよい。
読取回路５９は、ＣＰＵ５７の制御に従い、スキャナ４４の動作を制御する。スキャナ４４は、原稿に印刷されている文字や画像を読み取り、その文字や画像のデータを読取回路５９へ出力する。
センサ類４５は、印刷用紙がセットされていることを検出する印刷用紙検出センサ、ハンドセット５５がセットされていることを検出するハンドセット検出センサなど、本体２０に備えられた各種センサから構成されている。
パネルＧＡ４１は、ボタン類２２および表示器２１とＣＰＵ５７との間でデータ信号の仲介を行うためのインタフェースとして機能する。
【００２６】
ＦＡＸ・データモデム６０は、ファクシミリの送受信データの変復調を行うと共に、Ｌモードにおける各種情報および電子メールの送受信データの変復調を行う。ＡＦＥ４６は、メロディＩＣ４７およびクロスポイントスイッチ５４とＣＰＵ５７およびＦＡＸ・データモデム６０との間でデータ信号のサンプリングおよび変換を行う。
メロディＩＣ４７は、ＣＰＵ５７の制御処理に従い、所定のデータフォーマット仕様（例えば、ＳＭＡＦ（Synthetic Music Mobile Application Format）など）に基づいて着信音として機能するメロディ（着信メロディ）を生成し、スピーカ４８を駆動して当該着信メロディを発音させる。
【００２７】
ＲＴＣ４９は、現在の時刻および年月日を計測し、それらのデータをＣＰＵ５７へ出力する。ＲＯＭ５０は、ＣＰＵ５７が各種制御を実行するための各種制御プログラムを記憶している。ＲＡＭ５１は、ＣＰＵ５７の作業領域や各種データの展開領域を提供する。
ＥＥＰＲＯＭ５２は、電話やファクシミリの送信先の電話番号、電子メールの送信先やインターネット網１２に接続された各種通信機器１３，１４のＵＲＬ（Uniform Resource Locator）などを記憶している。
【００２８】
子機用ＲＦユニット５３は、コードレスホンの子機（図示略）と親機である本体２０とを無線回線を通じて接続するために、ＣＰＵ５７と子機との間でデータ信号を無線で送受信する。
クロスポイントスイッチ５４は、子機用ＲＦユニット５３、ＮＣＵ５６、電話の送受話器からなるハンドセット５５、ＡＦＥ４６のそれぞれの間で転送されるデータ信号を切り替えて仲介する。
ＮＣＵ５６は、公衆電話回線１５に接続されて網制御を行い、公衆電話回線１５に対するダイヤル信号を送り出すと共に、公衆電話回線１５からの呼出信号に対する応答などを行う。
【００２９】
［ＣＰＵ５７が実行する主な制御処理］
次に、ＣＰＵ５７が実行する主な制御処理について、本発明を具体化した第１〜第３実施例毎に説明する。
＜第１実施例＞
本第１実施例は、着信音として機能するメロディのデータ（情報）を通信回線からダウンロードする際の制御処理に関するものである。
図４は、本第１実施例においてＣＰＵ５７が実行する主な制御処理の流れを示すフローチャートである。
Ｌモード対応ファクシミリのユーザーは、表示器２１の表示内容を見ながらボタン類２２を操作することにより、各種通信機器１３，１４から提供される前記コンテンツから着信音として機能するメロディのデータのダウンロードを選択し、その選択指示をパネルＧＡ４１を介してＣＰＵ５７に転送させる。
すると、ＣＰＵ５７は、ユーザーの選択指示に従い、ＲＯＭ５０に記録（記憶）されているプログラムに従い、コンピュータによる各種演算処理によって、以下の各ステップ（以下、「Ｓ」と記載する）の処理を実行する。尚、ＣＰＵ５７は、以下の各ステップの処理が実行される前に、Ｌモードゲートウェイ１６とＮＣＵ５６との公衆電話回線１５を介した回線を接続させておく。
【００３０】
尚、前記プログラムをコンピュータで読み取り可能な記録媒体（半導体メモリ（メモリスティックなど）、ハードディスク、フロッピーディスク、データカード（ＩＣカード，磁気カードなど）、光ディスク（ＣＤ−ＲＯＭ，ＣＤ−Ｒ，ＣＤ−ＲＷ，ＤＶＤなど）、光磁気ディスク（ＭＯなど）、相変化ディスク、磁気テープなど）を備えた外部記録装置（外部記憶装置）に記録（記憶）しておき、当該プログラムを必要に応じて外部記録装置からＣＰＵ５７にロードして起動することにより用いるようにしてもよい。ところで、前記記録媒体の具体例の名称には登録商標が含まれる。
【００３１】
ＣＰＵ５７は、まず、着信音として機能するメロディの曲名データ及び当該メロディの和音数情報を含むＨＴＭＬ（Hyper Text Markup Language）ファイルをＮＣＵ５６から公衆電話回線１５並びにＬモードゲートウェイ１６を介してＷＷＷサーバへ要求し、インターネット網１２に接続されたＷＷＷプラウザを用いて各種通信機器１３，１４のＷＷＷサーバから提供される前記コンテンツにおけるメロディのＨＴＭＬファイルを、公衆電話回線１５、Ｌモードゲートウェイ１６並びにＮＣＵ５６を介して取得する（Ｓ１０）。
【００３２】
次に、ＣＰＵ５７は、Ｓ１０の処理で取得した複数のメロディのＨＴＭＬファイルのうち、当該メロディの和音数情報（機能情報）が付加されているものがあるかどうかを判定し（Ｓ１２）、少なくとも１つの和音数情報が付加されている場合は（Ｓ１２：Ｙｅｓ）、メロディのデータ（楽曲データ）を記憶させるＲＡＭ５１の空き容量（新たなデータを記憶させることが可能なデータ量の空き容量）Ｖを判定（チェック）する（Ｓ１４）。
ここで、メロディの和音数情報は、当該メロディを構成する和音数が１６和音または４和音のいずれであるかを示す機能情報（つまり、当該メロディのデータ量を示す機能情報）である。
【００３３】
続いて、ＣＰＵ５７は、１６和音に相当するメロディのデータ量Ｄａ（通常は数十ｋバイト）と、Ｓ１４の処理で判定したＲＡＭ５１の空き容量Ｖとを比較し（Ｓ１６）、１６和音に相当するメロディのデータ量ＤａがＲＡＭ５１の空き容量Ｖ以下の場合は（Ｄａ≦Ｖ，Ｓ１６：Ｙｅｓ）、Ｓ１０の処理で取得した全てのＨＴＭＬファイルの内容をそのままパネルＧＡ４１を介して表示器２１へ転送して表示させ（Ｓ１８）、その後に処理を終了する。
また、ＣＰＵ５７は、Ｓ１０の処理で取得したメロディのＨＴＭＬファイルに和音数情報が付加されていない場合も（Ｓ１２：ＮＯ）、そのＨＴＭＬファイルの内容をそのまま表示器２１に表示させ（Ｓ１８）、その後に処理を終了する。
【００３４】
そして、ＣＰＵ５７は、Ｓ１６の処理において、１６和音に相当するメロディのデータ量Ｄａの方がＲＡＭ５１の空き容量Ｖより大きいと判定した場合は（Ｄａ＞Ｖ，Ｓ１６：Ｎｏ）、４和音に相当するメロディのデータ量Ｄｂ（１６和音に相当するメロディのデータ量の１／４。通常は数ｋバイト）と、Ｓ１４の処理で判定したＲＡＭ５１の空き容量Ｖとを比較し（Ｓ２０）、４和音に相当するメロディのデータ量Ｄｂの方がＲＡＭ５１の空き容量Ｖより大きい場合は（Ｄｂ＞Ｖ，Ｓ２０：Ｙｅｓ）、ＨＴＭＬファイルの一部を、その比較結果に対応したメッセージ文（例えば「メモリ空き容量が少ないためメロディのダウンロードは無効です」など）に変更して表示器２１に表示させるか又はピクトグラムを表示器２１に表示させ（Ｓ２２）、その後に処理を終了する。
【００３５】
また、ＣＰＵ５７は、Ｓ２０の処理において、４和音に相当するメロディのデータ量ＤｂがＲＡＭ５１の空き容量Ｖ以下と判定した場合は（Ｄｂ≦Ｖ，Ｓ２０：Ｎｏ）、Ｓ１０の処理で取得したメロディのＨＴＭＬファイルを、和音数情報が１６和音の箇所については前記比較結果に対応したメッセージ文に変更して表示器２１に表示させるか又はピクトグラムを表示器２１に表示させ、和音数情報が４和音の箇所については修正を加えることなく表示器２１に表示させ（Ｓ２４）、その後に処理を終了する。
そして、表示器２１に表示されたダウンロード可能な曲名やその和音数情報に基づいて、Ｌモード対応ファクシミリのユーザーがダウンロードする曲を選択し、ＣＰＵ５７にダウンロードを実行させる。
【００３６】
＜第２実施例＞
本第２実施例は、表示器２１に表示させる待ち受け画面などに用いられる画像データを通信回線からダウンロードする際の制御処理に関するものである。
図５は、本第２実施例においてＣＰＵ５７が実行する主な制御処理の流れを示すフローチャートである。
Ｌモード対応ファクシミリのユーザーは、表示器２１の表示内容を見ながらボタン類２２を操作することにより、各種通信機器１３，１４から提供される前記コンテンツから画像データのダウンロードを選択し、その選択指示をパネルＧＡ４１を介してＣＰＵ５７に転送させる。
すると、ＣＰＵ５７は、ユーザーの選択指示に従い、ＲＯＭ５０に記録されているプログラムに従い、コンピュータによる各種演算処理によって、以下の各ステップの処理を実行する。尚、ＣＰＵ５７は、以下の各ステップの処理が実行される前に、Ｌモードゲートウェイ１６とＮＣＵ５６との公衆電話回線１５を介した回線を接続させておく。
【００３７】
ＣＰＵ５７は、まず、画像データを含むＨＴＭＬファイルをＮＣＵ５６から公衆電話回線１５並びにＬモードゲートウェイ１６を介してＷＷＷサーバへ要求し、インターネット網１２に接続されたＷＷＷプラウザを用いて各種通信機器１３，１４のＷＷＷサーバから提供される前記コンテンツにおける画像データのＨＴＭＬファイルを、公衆電話回線１５、Ｌモードゲートウェイ１６並びにＮＣＵ５６を介して取得する（Ｓ４０）。
【００３８】
次に、ＣＰＵ５７は、画像データを記憶させるＲＡＭ５１の空き容量Ｖを判定（チェック）する（Ｓ４２）。
続いて、ＣＰＵ５７は、Ｓ４０の処理で取得した複数の画像データ毎のＨＴＭＬファイルが示す最も大きな画像データのデータ量Ｄｃと、Ｓ４２の処理で判定したＲＡＭ５１の空き容量Ｖとを比較し（Ｓ４４）、そのデータ量ＤｃがＲＡＭ５１の空き容量Ｖ以下の場合は（Ｄｃ≦Ｖ，Ｓ４４：Ｙｅｓ）、Ｓ４０の処理で取得したＨＴＭＬファイルの内容をそのままパネルＧＡ４１を介して表示器２１に転送して表示させ（Ｓ４６）、その後に処理を終了する。
【００３９】
また、ＣＰＵ５７は、Ｓ４４の処理において、前記データ量Ｄｃの方がＲＡＭ５１の空き容量Ｖより大きいと判定した場合は（Ｄｃ＞Ｖ，Ｓ４４：Ｎｏ）、ＨＴＭＬファイルを、その比較結果に対応したメッセージ文（例えば「メモリ空き容量が少ないため画像データのダウンロードは無効です」など）に変更して表示器２１に表示させるか又はピクトグラムを表示器２１に表示させ（Ｓ４８）、その後に処理を終了する。
【００４０】
＜第３実施例＞
本第３実施例は、アプリケーションソフトのデータ（情報）を通信回線からダウンロードする際の制御処理に関するものである。
図６は、本第３実施例においてＣＰＵ５７が実行する主な制御処理の流れを示すフローチャートである。
Ｌモード対応ファクシミリのユーザーは、表示器２１の表示内容を見ながらボタン類２２を操作することにより、各種通信機器１３，１４から提供される前記コンテンツからアプリケーションソフトのデータのダウンロードを選択し、その選択指示をパネルＧＡ４１を介してＣＰＵ５７に転送させる。
すると、ＣＰＵ５７は、ユーザーの選択指示に従い、ＲＯＭ５０に記録されているプログラムに従い、コンピュータによる各種演算処理によって、以下の各ステップの処理を実行する。尚、ＣＰＵ５７は、以下の各ステップの処理が実行される前に、Ｌモードゲートウェイ１６とＮＣＵ５６との公衆電話回線１５を介した回線を接続させておく。
【００４１】
ＣＰＵ５７は、まず、アプリケーションソフトのデータを含むＨＴＭＬファイルをＮＣＵ５６から公衆電話回線１５並びにＬモードゲートウェイ１６を介してＷＷＷサーバへ要求し、インターネット網１２に接続されたＷＷＷプラウザを用いて各種通信機器１３，１４のＷＷＷサーバから提供される前記コンテンツにおけるアプリケーションソフトのＨＴＭＬファイルを、公衆電話回線１５、Ｌモードゲートウェイ１６並びにＮＣＵ５６を介して取得する（Ｓ６０）。
【００４２】
次に、ＣＰＵ５７は、アプリケーションソフトを記憶させるＲＡＭ５１の空き容量Ｖを判定（チェック）する（Ｓ６２）。
続いて、ＣＰＵ５７は、Ｓ６０の処理で取得した複数のアプリケーションソフト毎のＨＴＭＬファイルが示す最も大きなアプリケーションソフトのデータ量Ｄｄと、Ｓ６２の処理で判定したＲＡＭ５１の空き容量Ｖとを比較し（Ｓ６４）、そのデータ量ＤｄがＲＡＭ５１の空き容量Ｖ以下の場合は（Ｄｄ≦Ｖ，Ｓ６４：Ｙｅｓ）、パネルＧＡ４１を介して表示器２１を制御し、Ｓ６０の処理で取得したＨＴＭＬファイルの内容をそのままパネルＧＡ４１を介して表示器２１に転送して表示させ（Ｓ６６）、その後に処理を終了する。
【００４３】
また、ＣＰＵ５７は、Ｓ６４の処理において、前記データ量Ｄｄの方がＲＡＭ５１の空き容量Ｖより大きいと判定した場合は（Ｄｄ＞Ｖ，Ｓ６４：Ｎｏ）、ＨＴＭＬファイルを、その比較結果に対応したメッセージ文（例えば「メモリ空き容量が少ないためアプリケーションソフトのダウンロードは無効です」など）に変更して表示器２１に表示させるか又はピクトグラムを表示器２１に表示させ（Ｓ６８）、その後に処理を終了する。
【００４４】
［実施形態の作用・効果］
以上詳述したように、本実施形態によれば、以下の作用・効果を得ることができる。
（１）第１実施例において、ＣＰＵ５７は、４和音に相当するメロディのデータ量Ｄｂの方がＲＡＭ５１の空き容量Ｖより大きい場合は（Ｄｂ＞Ｖ，Ｓ２０：Ｙｅｓ）、ＨＴＭＬファイルの一部を、その比較結果に対応したメッセージ文（例えば「メモリ空き容量が少ないためメロディのダウンロードは無効です」など）に変更して表示器２１に表示させるか又はピクトグラムを表示器２１に表示させる（Ｓ２２）。
【００４５】
また、ＣＰＵ５７は、１６和音に相当するメロディのデータ量Ｄａの方がＲＡＭ５１の空き容量Ｖより大きい場合で（Ｄａ＞Ｖ，Ｓ１６：Ｎｏ）、且つ、４和音に相当するメロディのデータ量ＤｂがＲＡＭ５１の空き容量Ｖ以下の場合は（Ｄｂ≦Ｖ，Ｓ２０：Ｎｏ）、取得したメロディのＨＴＭＬファイルを、和音数情報が１６和音の箇所については前記比較結果に対応したメッセージ文に変更して表示器２１に表示させるか又はピクトグラムを表示器２１に表示させ、和音数情報が４和音の箇所については修正を加えることなく、当該ＨＴＭＬファイルの内容を表示器２１に表示させる（Ｓ２４）。
そして、ＣＰＵ５７は、取得した全てのメロディのＨＴＭＬファイルに和音数情報が付加されていない場合は（Ｓ１２：ＮＯ）、その全てのメロディのＨＴＭＬファイルの内容を表示器２１に表示させる（Ｓ１８）。
【００４６】
つまり、第１実施例では、メロディの和音数情報のうち、メロディのデータ量Ｄａ，Ｄｂの方がＲＡＭ５１の空き容量Ｖより大きい和音数（４和音または１６和音）については、その和音数が付加されているメロディのデータをＲＡＭ５１に記憶させることができないとして、ＨＴＭＬファイルを、その旨を示すメッセージ文に変更して表示器２１に表示させるか又はピクトグラムを表示器２１に表示させることでユーザーに報知する。
また、メロディの和音数情報のうち、メロディのデータ量Ｄａ，ＤｂがＲＡＭ５１の空き容量Ｖ以下の和音数については、その和音数が付加されているメロディのＨＴＭＬファイルの内容をそのまま表示器２１に表示させることでユーザーに報知する。
【００４７】
そのため、ユーザーは、表示器２１に表示されるＨＴＭＬファイルの内容および前記メッセージ文またはピクトグラムを見ることで、ＲＡＭ５１に記憶させることが可能なメロディのデータを、公衆電話回線１５並びにＬモードゲートウェイ１６からＮＣＵ５６を介してダウンロードする以前に知ることができる。
そして、ユーザーは、ＲＡＭ５１に記憶させることが可能な複数のメロディの中から、好みのメロディを選択し、その選択したメロディのデータを、公衆電話回線１５並びにＬモードゲートウェイ１６からＮＣＵ５６を介してダウンロードし、ＲＡＭ５１に記憶させる。
従って、第１実施例によれば、ＲＡＭ５１に記憶させることができないメロディのデータをダウンロードすることが防止されるため、そのダウンロードに伴う公衆電話回線１５の使用料金（電話料金）の無駄な課金が回避されることから、通信コストを低減することができる。
【００４８】
（２）第２実施例において、ＣＰＵ５７は、取得した複数の画像データ毎のＨＴＭＬファイルが示す最も大きな画像データのデータ量ＤｃがＲＡＭ５１の空き容量Ｖ以下の場合は（Ｄｃ≦Ｖ，Ｓ４４：Ｙｅｓ）、取得したＨＴＭＬファイルの内容を表示器２１にそのまま表示させる（Ｓ４６）。
また、ＣＰＵ５７は、前記データ量Ｄｃの方がＲＡＭ５１の空き容量Ｖより大きい場合は（Ｄｃ＞Ｖ，Ｓ４４：Ｎｏ）、ＨＴＭＬファイルを、その比較結果に対応したメッセージ文（例えば「メモリ空き容量が少ないため画像データのダウンロードは無効です」など）に変更して表示器２１に表示させるか又はピクトグラムを表示器２１に表示させる（Ｓ４８）。
【００４９】
つまり、第２実施例では、取得した複数の画像データ毎のＨＴＭＬファイルが示す最も大きな画像データのデータ量Ｄｃの方がＲＡＭ５１の空き容量Ｖより大きい場合は、画像データをＲＡＭ５１に記憶させることができないとして、ＨＴＭＬファイルを、その旨を示すメッセージ文に変更して表示器２１に表示させるか又はピクトグラムを表示器２１に表示させることでユーザーに報知する。
また、取得した複数の画像データ毎のＨＴＭＬファイルが示す最も大きな画像データのデータ量ＤｃがＲＡＭ５１の空き容量Ｖ以下の場合は、取得した全ての画像データのＨＴＭＬファイルの内容をそのまま表示器２１に表示させることでユーザーに報知する。
【００５０】
そのため、ユーザーは、表示器２１に表示されるＨＴＭＬファイルの内容および前記メッセージ文またはピクトグラムを見ることで、ＲＡＭ５１に記憶させることが可能な画像データを、公衆電話回線１５並びにＬモードゲートウェイ１６からＮＣＵ５６を介してダウンロードする以前に知ることができる。
そして、ユーザーは、ＲＡＭ５１に記憶させることが可能な複数の画像データの中から、好みの画像データを選択し、その選択した画像データを、公衆電話回線１５並びにＬモードゲートウェイ１６からＮＣＵ５６を介してダウンロードし、ＲＡＭ５１に記憶させる。
従って、第２実施例によれば、ＲＡＭ５１に記憶させることができない画像データをダウンロードすることが防止されるため、そのダウンロードに伴う公衆電話回線１５の使用料金の無駄な課金が回避されることから、通信コストを低減することができる。
【００５１】
（３）第３実施例において、ＣＰＵ５７は、取得した複数のアプリケーションソフト毎のＨＴＭＬファイルが示す最も大きなアプリケーションソフトのデータ量ＤｄがＲＡＭ５１の空き容量Ｖ以下の場合は（Ｄｄ≦Ｖ，Ｓ６４：Ｙｅｓ）、取得したＨＴＭＬファイルの内容をそのまま表示器２１に表示させる（Ｓ６６）。
また、ＣＰＵ５７は、前記データ量Ｄｄの方がＲＡＭ５１の空き容量Ｖより大きい場合は（Ｄｄ＞Ｖ，Ｓ６４：Ｎｏ）、ＨＴＭＬファイルを、その比較結果に対応したメッセージ文（例えば「メモリ空き容量が少ないためアプリケーションソフトのダウンロードは無効です」など）に変更して表示器２１に表示させるか又はピクトグラムを表示器２１に表示させる（Ｓ６８）。
【００５２】
つまり、第３実施例では、取得した複数のアプリケーションソフト毎のＨＴＭＬファイルが示す最も大きなアプリケーションソフトのデータ量Ｄｄの方がＲＡＭ５１の空き容量Ｖより大きい場合は、アプリケーションソフトをＲＡＭ５１に記憶させることができないとして、ＨＴＭＬファイルを、その旨を示すメッセージ文に変更して表示器２１に表示させるか又はピクトグラムを表示器２１に表示させることでユーザーに報知する。
また、取得した複数のアプリケーションソフト毎のＨＴＭＬファイルが示す最も大きなアプリケーションソフトのデータ量ＤｄがＲＡＭ５１の空き容量Ｖ以下の場合は、取得した全てのアプリケーションソフトのＨＴＭＬファイルの内容をそのまま表示器２１に表示させることでユーザーに報知する。
【００５３】
そのため、ユーザーは、表示器２１に表示されるＨＴＭＬファイルの内容および前記メッセージ文またはピクトグラムを見ることで、ＲＡＭ５１に記憶させることが可能なアプリケーションソフトを、公衆電話回線１５並びにＬモードゲートウェイ１６からＮＣＵ５６を介してダウンロードする以前に知ることができる。
そして、ユーザーは、ＲＡＭ５１に記憶させることが可能な複数のアプリケーションソフトの中から、好みのアプリケーションソフトを選択し、その選択したアプリケーションソフトを、公衆電話回線１５並びにＬモードゲートウェイ１６からＮＣＵ５６を介してダウンロードし、ＲＡＭ５１に記憶させる。
従って、第３実施例によれば、ＲＡＭ５１に記憶させることができないアプリケーションソフトをダウンロードすることが防止されるため、そのダウンロードに伴う公衆電話回線１５の使用料金の無駄な課金が回避されることから、通信コストを低減することができる。
【００５４】
［別の実施形態］
ところで、本発明は上記実施形態に限定されるものではなく、以下のように具体化してもよく、その場合でも、上記実施形態と同等もしくはそれ以上の作用・効果を得ることができる。
［１］第１実施例では、メロディの和音数情報を、１６和音または４和音の２種類の和音数を示す機能情報としている。
しかし、メロディの和音数情報として、１６和音や４和音以外の和音数を示す機能情報を含めてもよく、例えば、４和音，１６和音，６４和音の３種類の和音数を示す機能情報をメロディの和音数情報としてもよい。
【００５５】
［２］上記実施形態では、ＲＡＭ５１に記憶させることができないＨＴＭＬファイルについては、前記メッセージ文またはピクトグラムを表示器２１に表示させるようにしている。
しかし、ＲＡＭ５１に記憶させることができないＨＴＭＬファイルについては、グレーアウトで表示器２１に表示させるようにしてもよい。
また、ＲＡＭ５１に記憶させることができないＨＴＭＬファイルについて、表示器２１に表示させるだけでなく、スピーカ４８から音声にて報知するようにしてもよく、モータ４２およびサーマルヘッド４３からなるプリンタを用いて印刷用紙に印刷してもよい。
【００５６】
［３］上記実施形態では、公衆電話回線１５並びにＬモードゲートウェイ１６からＮＣＵ５６を介して送信されてくるＨＴＭＬファイルをＲＡＭ５１に記憶させるようにしている。
しかし、Ｌモードゲートウェイ１６を介さず、公衆電話回線１５からＮＣＵ５６を介して送信されてくるＨＴＭＬファイルをＥＥＰＲＯＭ５２に記憶させるようにしてもよい。この場合は、第１〜第３実施例におけるＲＡＭ５１に関する記載をＥＥＰＲＯＭ５２に置き代えればよく、例えば、Ｓ１４，Ｓ４２，Ｓ６２の処理において、ＣＰＵ５７は、ＥＥＰＲＯＭ５２の空き容量を判定すればよい。
【００５７】
［４］上記実施形態では、公衆電話回線１５並びにＬモードゲートウェイ１６からＮＣＵ５６を介して送信されてくるＨＴＭＬファイルをＲＡＭ５１に記憶させるようにしている。
しかし、ＨＴＭＬファイルに限らず、どのようなデータ形式のデータに適用してもよい。
【００５８】
［５］上記実施形態は、Ｌモード対応の各種通信機器１１の一例としてＬモード対応ファクシミリに具体化したものである。
しかし、Ｌモード対応の各種通信機器１１であれば、どのような通信機器（例えば、Ｌモード対応電話機、ＩＣカード公衆電話機など）に適用してもよい。
【００５９】
［６］上記実施形態はＬモード対応の各種通信機器１１に適用したものである。
しかし、本発明は、Ｌモードに限らず、どのような形態の通信システム（例えば、ＮＴＴ社が提供するｉモード、インターネット網を利用した各種通信システム、インターネット網以外の各種情報通信ネットワーク網（各種ＬＡＮ（Local Area Network）、バス構造のＬＡＮによるイーサネット）など）を利用する通信装置に適用してもよい。
そして、当該通信装置は、どのようなものでもよい（例えば、電話機、ファクシミリ、各種情報機器（携帯情報端末、モデムを備えたパーソナルコンピュータなど））。
【００６０】
［７］上記実施形態はダウンロード選択時に空き容量と比較していたが、ダウンロードする時に、ダウンロードしたいデータのデータ量と空き容量を比較して、その比較結果に基づいて、ダウンロードできない場合は、その旨を報知し、ダウンロードできる場合は、そのままＲＡＭへダウンロードするようにしてもよい。
【００６１】
尚、上述した［特許請求の範囲］および［課題を解決するための手段および発明の効果］に記載した構成要素と、［発明の実施の形態］に記載した構成部材との対応関係は以下のようになっている。
「通信装置」は、Ｌモード対応の各種通信機器１１およびＬモード対応ファクシミリの本体２０に該当する。
「通信回線」は、インターネット網１２，公衆電話回線１５，Ｌモードゲートウェイ１６に該当する。
「データ」は、着信着信音として機能するメロディのデータ、画像データ、アプリケーションソフトのデータに該当する。
「記憶手段」は、ＲＡＭ５１またはＥＥＰＲＯＭ５２に該当する。
「データ量」は、データ量Ｄａ〜Ｄｄに該当する。
「機能情報」は、和音数情報に該当する。
「空き容量」は、空き容量Ｖに該当する。
「空き容量判定手段」は、ＣＰＵ５７が実行するＳ１４，Ｓ４２，Ｓ６２の処理に該当する。
「ファイル」は、ＨＴＭＬファイルに該当する。
「ファイル取得手段」は、ＣＰＵ５７が実行するＳ１０，Ｓ４０，Ｓ６０の処理に該当する。
「比較手段」は、ＣＰＵ５７が実行するＳ１６，Ｓ２０，Ｓ４４，Ｓ６４の処理に該当する。
【００６２】
「複数段階のデータ量のうち最も大きなデータ量」は、１６和音に相当するメロディのデータ量Ｄａに該当する。
「複数段階のデータ量のうち最も小さなデータ量」は、４和音に相当するメロディのデータ量Ｄｂに該当する。
請求項１の「第１報知手段」は、ＣＰＵ５７が実行するＳ１８の処理に該当する。
請求項１の「第２報知手段」は、ＣＰＵ５７が実行するＳ２２の処理に該当する。
請求項１の「第３報知手段」は、ＣＰＵ５７が実行するＳ２４の処理に該当する。
請求項３の「第１報知手段」は、ＣＰＵ５７が実行するＳ４６，Ｓ６６の処理に該当する。
請求項３の「第２報知手段」は、ＣＰＵ５７が実行するＳ４８，Ｓ６８の処理に該当する。
尚、前記報知手段は、パネルＧＡ４１および表示器２１、またはＡＦＥ４６，メロディＩＣ４７，スピーカ４８、またはモータ４２，サーマルヘッド４３，記録回路５８にも該当する。
「プログラム」は、ＣＰＵ５７が実行するＳ１０〜Ｓ６８の処理に該当する。
「記録媒体」は、ＲＯＭ５０に該当する。
【図面の簡単な説明】
【図１】Ｌモードにおける通信システムの概略構成を示すブロック図。
【図２】本発明を具体化した一実施形態におけるＬモード対応ファクシミリの本体の外観を示す平面図。
【図３】Ｌモード対応ファクシミリの本体の電気的構成を示すブロック回路図。
【図４】第１実施例において、本体に備えられたＣＰＵが実行する主な制御処理の流れを示すフローチャート。
【図５】第２実施例において、本体に備えられたＣＰＵが実行する主な制御処理の流れを示すフローチャート。
【図６】第３実施例において、本体に備えられたＣＰＵが実行する主な制御処理の流れを示すフローチャート。
【符号の説明】
１０…Ｌモードにおける通信システム
１１…Ｌモード対応の各種通信機器
１５…公衆電話回線
１６…Ｌモードゲートウェイ
２０…Ｌモード対応ファクシミリの本体
２１…表示器
２２…ボタン類
４１…パネルＧＡ
４２…モータ
４３…サーマルヘッド
４６…ＡＦＥ
４７…メロディＩＣ
４８…スピーカ
５０…ＲＯＭ
５１…ＲＡＭ
５２…ＥＥＰＲＯＭ
５４…クロスポイントスイッチ
５６…ＮＣＵ
５７…ＣＰＵ
５８…記録回路
６０…ＦＡＸ・データモデム
【図１】
0003733886.tif 000002
【図２】
0003733886.tif 000003
【図３】
0003733886.tif 000004
【図４】
0003733886.tif 000005
【図５】
0003733886.tif 000006
【図６】
0003733886.tif 000007